(57)【要約】【課題】簡単な操作でデータ再生装置の内部情報を表示でき、さらには多数の内部情報を表示できる、データ再生装置及びデータ再生装置の情報表示方法を提供する。【解決手段】本発明のデータ再生装置は、記録媒体に記録された記録データを再生し、前記記録データに付加されて前記記録媒体に記録された付加情報を読み出して表示又は出力する。本発明のデータ再生装置は、参照情報及び差替情報を記憶しており、前記付加情報の全て又は一部が前記参照情報と一致する場合、前記付加情報の全て又は一部を前記差替情報に置換して表示又は出力する。また、本発明のデータ再生装置は、複数の参照情報と、これら参照情報に夫々対応する複数の差替情報とを記憶しており、前記付加情報の全て又は一部がある参照情報と一致する場合、前記付加情報の全て又は一部を、この参照情報に対応する差替情報に置換して表示又は出力する。【選択図】    図２
2004273076.tif 000002
【特許請求の範囲】
【請求項１】
記録媒体に記録された記録データを再生し、前記記録データに付加されて前記記録媒体に記録された付加情報を読み出して表示又は出力するデータ再生装置において、
参照情報及び差替情報を記憶しており、前記付加情報の全て又は一部が前記参照情報と一致する場合、前記付加情報の全て又は一部を前記差替情報に置換して表示又は出力することを特徴とするデータ再生装置。
【請求項２】
前記記録媒体から前記付加情報を読み出す第１制御手段と、前記第１制御手段とデータ送受可能に接続されると共に、前記第１制御手段から送られた前記付加情報の表示又は出力を制御する第２制御手段とを具えており、
前記第１制御手段は、前記参照情報及び前記差替情報を記憶すると共に、前記付加情報の全て又は一部が前記参照情報と一致する場合、前記付加情報の全て又は一部を前記差替情報に置換して前記第２制御手段に送る請求項１に記載のデータ再生装置。
【請求項３】
複数の参照情報と、これら参照情報に夫々対応する複数の差替情報とを記憶しており、前記付加情報の全て又は一部がある参照情報と一致する場合、前記付加情報の全て又は一部を、この参照情報に対応する差替情報に置換して表示又は出力することを特徴とする請求項１又は請求項２に記載のデータ再生装置。
【請求項４】
前記付加情報は、項目別に設定された複数の文字列を含んでおり、各参照情報は文字列であり、所定の項目に設定された文字列がある参照情報と一致する場合、前記付加情報の全て又は一部を、この参照情報に対応する差替情報に置換して表示又は出力する請求項３に記載のデータ再生装置。
【請求項５】
前記付加情報は、項目別に設定された複数の文字列を含んでおり、各参照情報は、前記付加情報の前記複数の文字列の属する項目に夫々対応する複数の文字列で構成され、前記付加情報の前記複数の文字列がある参照情報と項目毎に一致する場合、前記付加情報の全て又は一部を、この参照情報に対応する差替情報に置換して表示又は出力する請求項３に記載のデータ再生装置。
【請求項６】
記録媒体にＭＰ３フォーマットで記録された音声データを再生し、前記音声データに付加されて前記記録媒体に記録されたＩＤ３タグを読み出して表示又は出力するデータ再生装置において、
複数の参照情報と、これら参照情報に夫々対応する複数の差替情報とを記憶しており、各参照情報は文字列であり、前記ＩＤ３タグの所定の項目に設定された文字列がある参照情報と一致する場合、前記ＩＤ３タグの全て又は一部の項目をその参照情報に対応する差替情報に置換して表示又は出力することを特徴とするデータ再生装置。
【請求項７】
記録媒体にＭＰ３フォーマットで記録された音声データを再生し、前記音声データに付加されて前記記録媒体に記録されたＩＤ３タグを読み出して表示又は出力するデータ再生装置において、
複数の参照情報と、これら参照情報に夫々対応する複数の差替情報とを記憶しており、各参照情報は、前記ＩＤ３タグの所定の複数の項目に夫々対応する複数の文字列で構成され、前記ＩＤ３タグの前記複数の項目に夫々設定された複数の文字列がある参照情報と項目毎に一致する場合、前記ＩＤ３タグの全て又は一部を、この参照情報に対応する差替情報に置換して表示又は出力することを特徴とするデータ再生装置。
【請求項８】
記録媒体に記録された記録データを再生し、前記記録データに付加されて前記記録媒体に記録された付加情報を読み出して表示するデータ再生装置の情報表示方法において、
前記データ再生装置は、参照情報及び差替情報を記憶しており、
前記付加情報の全て又は一部を、前記データ再生装置に記憶された参照情報と比較する第１ステップと、
前記第１ステップにて、前記付加情報の全て又は前記一部が、前記参照情報と一致する場合、前記付加情報の全て又は一部を、前記データ再生装置に記憶された差替情報に置換して表示する第２ステップと、を含むことを特徴とするデータ再生装置の情報表示方法。
【請求項９】
前記データ再生装置は、複数の参照情報と、これら参照情報に夫々対応する複数の差替情報とを記憶しており
前記第１ステップは、前記付加情報の全て又は一部を、前記複数の参照情報から順次選択された参照情報と比較し、
前記第２ステップは、前記第１ステップにて、前記付加情報の全て又は前記一部がある参照情報と一致する場合、前記付加情報の全て又は一部を、この参照情報に対応する差替情報に置換して表示する請求項８に記載のデータ再生装置の情報表示方法。
【請求項１０】
前記付加情報は、項目別に設定された複数の文字列を含んでおり、各参照情報は文字列であり、前記ステップ１にて、所定の項目に設定された文字列がある参照情報と一致する場合、前記ステップ２にて、前記付加情報の全て又は一部を、この参照情報に対応する差替情報に置換して表示する請求項９に記載のデータ再生装置の情報表示方法。
【請求項１１】
前記付加情報は項目別に設定された複数の文字列を含んでおり、各参照情報は、前記付加情報の前記複数の文字列が属する項目に夫々対応する複数の文字列で構成され、前記ステップ１にて、前記付加情報の前記複数の文字列がある参照情報と項目毎に一致する場合、前記ステップ２にて、前記付加情報の全て又は一部を、この参照情報に対応する差替情報に置換して表示する請求項９に記載のデータ再生装置の情報表示方法。
【請求項１２】
記録媒体にＭＰ３フォーマットで記録された音声データを再生し、前記音声データに付加されて前記記録媒体に記録されたＩＤ３タグを読み出して表示するデータ再生装置の情報表示方法において、
前記データ再生装置は、複数の参照情報と、これら参照情報に夫々対応する複数の差替情報とを記憶しており、各参照情報は文字列であり、
前記ＩＤ３タグの所定の項目の文字列を、前記複数の参照情報から選択された参照情報と順次比較する第１ステップと、
前記第１ステップにて、前記ＩＤ３タグの前記文字列がある参照情報と一致する場合、前記ＩＤ３タグの全て又は一部の項目をその参照情報に対応する差替情報に置換して表示又は出力する第２ステップと、を含むことを特徴とするデータ再生装置の情報表示方法。
【請求項１３】
記録媒体にＭＰ３フォーマットで記録された音声データを再生し、前記音声データに付加されて前記記録媒体に記録されたＩＤ３タグを読み出して表示するデータ再生装置の情報表示方法において、
前記データ再生装置は、複数の参照情報と、これら参照情報に夫々対応する複数の差替情報とを記憶しており、各参照情報は、前記ＩＤ３タグの所定の複数の項目に夫々対応する複数の文字列で構成され、
前記ＩＤ３タグの前記複数の項目に夫々設定された複数の文字列を、前記複数の参照情報から選択された参照情報と順次比較する第１ステップと、
前記第１ステップにて、前記ＩＤ３タグの前記複数の文字列が、ある参照情報と項目毎に一致する場合、前記ＩＤ３タグの全て又は一部を、この参照情報に対応する差替情報に置換して表示する第２ステップと、を具えることを特徴とするデータ再生装置の情報表示方法。
【発明の詳細な説明】
【０００１】
【発明の属する技術分野】
本発明は、記録媒体に記録された音声データ等の記録データを再生するデータ再生装置、及びデータ再生装置の情報表示方法に関する。
【０００２】
【従来の技術】
サービスステーションにおいてＣＤプレーヤやＭＤプレーヤ等のデータ再生装置を修理する場合、又は生産ラインにおいてデータ再生装置の動作確認を行う場合、作業者には、データ再生装置の内部情報を知る必要が生じることがある。内部情報は、データ再生装置が具えるマイクロコンピュータ（以下、「マイコン」と称す）で実行される制御用ソフトウェアのバージョン、サーボ制御の制御パラメータ、及びデータ再生装置内部の各種ステータス等であり、データ再生装置を普通に使用する一般ユーザにとって全く知る必要のない情報である。ゆえに、従来のデータ再生装置には、一般ユーザが内部情報を容易に知り得ないように、操作ボタンの特殊な操作がなされることを条件として内部情報を表示しているものがあった。このようなデータ再生装置では、例えば、電源投入時に再生ボタン及び一時停止ボタン等を同時に押して、この状態を数秒間維持することで、データ再生装置の内部情報が表示されていた。
【０００３】
【特許文献１】
特開２００２−１５７８７１号公報
【０００４】
【発明が解決しようとする課題】
通常、データ再生装置の機種毎に、操作ボタンの種類、数、機能及び位置が異なっている。ゆえに、内部情報を表示するために行われる操作ボタンの操作もデータ再生装置の機種よって異なっており、サービスステーションで修理を行う作業者や生産ラインで確認作業を行う作業者は、データ再生装置の機種毎に、内部情報を表示するための操作ボタンの操作手順に熟知している必要があった。そのため、取り扱う機種の数が増すにつれて、操作手順を覚えることが困難となり、作業者の負担が増していた。また、表示内容が操作ボタンの操作パターンと対応づけられるので、表示される内部情報の数は、操作ボタンの数により制約されていた。
【０００５】
本発明は、上記の問題を解決するものであり、操作ボタンの特殊な操作が行われずとも、簡単な操作でデータ再生装置の内部情報を表示でき、さらには多数の内部情報を表示できる、データ再生装置及びデータ再生装置の情報表示方法を提供する。
【０００６】
【課題を解決するための手段】
本発明のデータ再生装置は、記録媒体に記録された記録データを再生し、前記記録データに付加されて前記記録媒体に記録された付加情報を読み出して表示又は出力するデータ再生装置において、参照情報及び差替情報を記憶しており、前記付加情報の全て又は一部が前記参照情報と一致する場合、前記付加情報の全て又は一部を前記差替情報に置換して表示又は出力することを特徴とする。
【０００７】
また、本発明のデータ再生装置は、記録媒体にＭＰ３フォーマットで記録された音声データを再生し、前記音声データに付加されて前記記録媒体に記録されたＩＤ３タグを読み出して表示又は出力するデータ再生装置において、複数の参照情報と、これら参照情報に夫々対応する複数の差替情報とを記憶しており、各参照情報は、前記ＩＤ３タグの所定の複数の項目に夫々対応する複数の文字列で構成され、前記ＩＤ３タグの前記複数の項目に夫々設定された複数の文字列がある参照情報と項目毎に一致する場合、前記ＩＤ３タグの全て又は一部を、この参照情報に対応する差替情報に置換して表示又は出力することを特徴とする。
【０００８】
本発明のデータ再生装置の情報表示方法は、記録媒体に記録された記録データを再生し、前記記録データに付加されて前記記録媒体に記録された付加情報を読み出して表示するデータ再生装置の情報表示方法において、前記データ再生装置は、参照情報及び差替情報を記憶しており、前記付加情報の全て又は一部を、前記データ再生装置に記憶された参照情報と比較する第１ステップと、前記第１ステップにて、前記付加情報の全て又は前記一部が、前記参照情報と一致する場合、前記付加情報の全て又は一部を、前記データ再生装置に記憶された差替情報に置換して表示する第２ステップと、を含むことを特徴とする。
【０００９】
また、本発明のデータ再生装置の情報表示方法は、記録媒体にＭＰ３フォーマットで記録された音声データを再生し、前記音声データに付加されて前記記録媒体に記録されたＩＤ３タグを読み出して表示するデータ再生装置の情報表示方法において、前記データ再生装置は、複数の参照情報と、これら参照情報に夫々対応する複数の差替情報とを記憶しており、各参照情報は、前記ＩＤ３タグの所定の複数の項目に夫々対応する複数の文字列で構成され、前記ＩＤ３タグの前記複数の項目に夫々設定された複数の文字列を、前記複数の参照情報から選択された参照情報と順次比較する第１ステップと、前記第１ステップにて、前記ＩＤ３タグの前記複数の文字列が、ある参照情報と項目毎に一致する場合、前記ＩＤ３タグの全て又は一部を、この参照情報に対応する差替情報に置換して表示する第２ステップと、を具えることを特徴とする。
【００１０】
【作用及び効果】
上記構成によれば、付加情報の全て又は一部が参照情報と一致する記録媒体を作成しておき、この記録媒体をデータ再生装置に処理させることにより、差替情報は、付加情報の全て又は一部と置換されてデータ再生装置に表示又は出力される。差替情報をデータ再生装置の内部情報としておけば、内部情報が付加情報の全て又は一部と置換されてデータ再生装置に表示又は出力される。従って、本発明によれば、データ再生装置の内部情報を知る必要のある者は、内部情報表示用記録媒体を予め作成し、単に通常の操作手順で付加情報を表示又は出力させることにより、容易に内部情報を知ることができる。また、参照情報を一般ユーザが設定しないような特別な内容に設定しておけば、一般ユーザに対してデータ再生装置の内部情報を秘密にできる。
【００１１】
データ再生装置は、記録媒体から前記付加情報を読み出す第１制御手段と、前記第１制御手段とデータ送受可能に接続されると共に、前記第１制御手段から送られた前記付加情報の表示又は出力を制御する第２制御手段とを具えており、前記第１制御手段は、前記参照情報及び前記差替情報を記憶すると共に、前記付加情報の全て又は一部が前記参照情報と一致する場合、前記付加情報の全て又は一部を前記差替情報に置換して前記第２制御手段に送ってもよい。これによれば、データ再生装置の複数の機種で第１制御手段を共通に使用することで、機種に応じて付加情報の表示又は出力を制御する第２制御手段に特別な変更を加えなくとも、これらの機種にてデータ再生装置の内部情報を表示できる。例えば、第１制御手段及び第２制御手段には、ＲＯＭ及びＲＡＭを具えたマイコンが共に用いられ、これらマイコンはデータバスを介して接続される。
【００１２】
さらに、データ再生装置に、複数の参照情報と、これら参照情報に夫々対応する複数の差替情報とを記憶させておき、付加情報の全て又は一部がある参照情報と一致する場合、データ再生装置は、付加情報の全て又は一部を、この参照情報に対応する差替情報に置換して表示又は出力してもよい。これにより、記録媒体に複数の付加情報を記録させて、これら付加情報の全て又は一部を、夫々適当な参照情報と一致させるように構成すれば、データ再生装置の多数の内部情報をデータ再生装置に選択的に表示又は出力させることができる。
【００１３】
また、付加情報が項目別に設定された複数の文字列を含んでいる場合、各参照情報を夫々文字列とし、データ再生装置は、所定の項目の文字列がある参照情報と一致すると、前記付加情報の全て又は一部を、この参照情報に対応する差替情報に置換して表示又は出力してもよい。参照情報を、これに対応する差替情報の表示を示唆するような内容の文字列とすると、この差替情報を表示するために設定する付加情報の文字列も同じ文字列となる。よって、データ再生装置の内部情報を表示又は出力するために設定する付加情報の把握及び管理が容易になる。
【００１４】
また、付加情報が項目別に設定された複数の文字列を含んでいる場合、各参照情報を、前記付加情報の前記複数の文字列の属する項目に夫々対応する複数の文字列で構成し、データ再生装置は、前記付加情報の前記複数の文字列がある参照情報と項目毎に一致すると、前記付加情報の全て又は一部を、この参照情報に対応する差替情報に置換して表示又は出力してもよい。付加情報の複数の文字列がある参照情報と項目毎に一致することを条件に差替情報が表示されるので、一般ユーザに対してデータ再生装置の内部情報をより確実に秘密にできる。また、内部情報を表示するために設定する付加情報の各文字列を意味の分かりやすい内容にしても、一般ユーザがデータ再生装置の内部情報を取得する可能性は低い。
【００１５】
また、本発明は、記録媒体にＭＰ３（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ−３）フォーマットで記録された音声データを再生し、音声データに付加されたＩＤ３タグを読み出して表示するデータ再生装置に容易に且つ効果的に適用できる。
【００１６】
【発明の実施の形態】
以下、本発明の実施例を図を用いて説明する。図１は、本発明に係るデータ再生装置の第１実施例の概要を示すブロック図である。本データ再生装置は、記録媒体（１）に記録された記録データを再生する。記録データは、音声データ、画像データ、又はこれらが組み合わされたデータであり、記録媒体（１）には、このような記録データに付加情報が付加されて記録されている。
【００１７】
付加情報は、ユーザーの記録データ管理の便宜を図るために記録媒体（１）に記録されている。記録データが音声データである場合、付加情報は、例えば、楽曲のタイトル名、アーティスト名等を示す文字列を含んでいる。このような付加情報が記録された記録媒体としては、例えば以下のものが知られている。ＣＤ−ＴＥＸＴフォーマットでデータが記録されたオーディオＣＤでは、ＣＤディスクのリードイン領域のＲ−Ｗサブコードエリアに文字列が記録されている。ＭＤ（Ｍｉｎｉ  Ｄｉｓｋ）では、ユーザーＴＯＣ（Ｔａｂｌｅ  ｏｆ  Ｃｏｎｔｅｎｔｓ）領域に各トラックに対応した文字列が記録されている。音声データがＭＰ３フォーマットで記録されているＣＤ−Ｒ／ＲＷ又は半導体メモリカードでは、付加情報であるＩＤ３タグが音声データに付加されている。本発明は、これらのような記録媒体の再生が可能なデータ再生装置に対して、特に限定されることなく適用できる。
【００１８】
データ読出部（２）は、記録媒体（１）に記録された記録データ及び付加情報を記録媒体（１）から読み出す。データ再生装置が、ＣＤ−Ｒ／ＲＷやＭＤ等のディスク状の記録媒体を再生する装置である場合、データ読出部（２）は、ターンテーブル、モータ、光ピックアップ、ＲＦアンプ等を含んでいる。データ再生装置が半導体メモリカードを再生する装置である場合、データ読出部（２）はカードインターフェイス部等を含んでいる。読出制御部（３）は、データ読出部（２）の動作の制御を行う。記録媒体（１）がディスク状の記録媒体である場合、読出制御部（３）は、光ピックアップの移動等に関するサーボ制御を行い、記録媒体（１）が半導体メモリカードである場合、読出制御部（３）は半導体メモリカードの読出動作を制御する。
【００１９】
データ読出部（２）から出力された記録データは、デコーダ部（４）に送られる。記録データは、所定の方式で変調されて記録媒体（１）に記録されている。デコーダ部（４）は、記録データを復調及びアナログ化して再生信号を生成する。記録データがＭＰ３等の所定のフォーマットで圧縮されて記録媒体（１）に記録されている場合には、デコーダ部（４）は記録データの復号処理も行う。再生信号は、外部出力端子（５）を通じて外部装置に出力される。
【００２０】
マイクロコンピュータ（６）（以下、「マイコン」と称す）は、データ再生装置の統括的な制御を行う。マイコン（６）は、ＣＰＵ（７）、ＲＯＭ（８）及びＲＡＭ（９）を具えている。ＲＯＭ（８）には、データ再生装置の制御用プログラムが記憶されており、この制御用プログラムはＣＰＵ（７）により適宜実行される。ＲＡＭ（９）には、制御用プログラムの実行に伴う演算結果が一時的に記憶され、データ再生装置の内部状態に関する情報も記憶される。
【００２１】
記録媒体（１）に記憶された付加情報は、データ読出部（２）により読み出されて、マイコン（６）のＲＡＭ（９）に記憶される。ＲＡＭ（９）に記憶された付加情報は、操作部（１０）からの指令により、マイコン（６）から表示部（１１）に送られて表示される。なお、マイコン（６）は、データ伝送用端子（１２）を介して外部装置との間でデータの送受が可能であり、データ再生装置は、読み出した付加情報等を外部装置に送ることができる。
【００２２】
本実施例のデータ再生装置は、参照情報及び差替情報を記憶手段に記憶しており、記録媒体（１）から読み出した付加情報の所定の部分が参照情報と一致する場合、付加情報の一部を差替情報に置換する置換手段を具えている。置換された付加情報は、データ再生装置の表示部（１１）に表示される。記録媒体（１）から読み出した付加情報の所定の部分が参照情報と一致しない場合、付加情報は、置換されることなくデータ再生装置の表示部（１１）に表示される。なお、参照情報及び差替情報を記憶する記憶手段には、マイコン（６）のＲＯＭ（８）が使用されているが、さらにＲＡＭ（９）を用いてもよい。
【００２３】
以下、記録媒体に記録された付加情報に対して、第１実施例のデータ再生装置が行う処理を説明する。図２は、この処理を示したフローチャートである。この処理を記述したプログラムは、マイコン（６）のＲＯＭ（８）に記憶されており、ＣＰＵ（７）により実行される。付加情報の一部を差替情報に置換する置換手段は、このプログラムをＣＰＵ（７）が実行することにより実現されている。
【００２４】
まず、記録媒体（１）から付加情報が読み出されて、マイコン（６）のＲＡＭ（９）に記憶される（Ｓ１）。付加情報は、項目別に設定された文字列の集合である。図３（ａ）に付加情報の一例を示す。付加情報は、第１項目から第ｎ項目ごとに設定されており、付加情報の第１項目は文字列「ａｂｃｄｅ」、第２項目は文字列「ｆｇｈｉ」、・・・、第ｎ項目は文字列「ｘｙｚ」となっている。ＲＡＭ（９）には、これらｎ個の文字列を夫々示すｎ個の文字コードが記憶されている。
【００２５】
マイコン（６）のＲＯＭ（８）には、付加情報の所定の項目と比較される複数の参照情報が記憶されている。図３（ｂ）に参照情報の一例を示す。ＲＯＭ（８）にはｍ個の参照情報が記憶されており、１番目の参照情報は「ｃｄａｅｂ」、２番目の参照情報は「ｂｃａｄｅ」、・・・、ｍ番目の参照情報は「ｅｄｃｂａ」となっている。ＲＯＭ（８）には、これらｍ個の文字列を夫々示すｍ個の文字コードが記憶されている。
【００２６】
付加情報がマイコン（６）のＲＡＭ（９）に記憶されると（Ｓ１）、ＣＰＵ（７）は、最初の参照情報を示す文字コードをＲＯＭ（８）から読み出す（Ｓ２）。ＣＰＵ（７）は、ＲＡＭ（９）から付加情報の所定の項目に設定された文字列を示す文字コードを読み出して、読み出した参照情報を示す文字コードと比較して、これらが一致するか否かを判断する（Ｓ３）。これら文字コードが一致しない場合、すなわち、付加情報の所定の項目に設定された文字列と読み出した参照情報とが一致しない場合、読み出した参照情報が最後の参照情報であるか否かが判断される（Ｓ４）。読み出した参照情報が最後の参照情報でない場合、ＣＰＵ（７）は、次の参照情報を読み出して（Ｓ５）、再度、付加情報の所定の項目に設定された文字列を、ＲＯＭ（８）から読み出した参照情報と比較して、これらが一致するか否かを判断する（Ｓ３）。このように、付加情報の所定の項目に設定された文字列と読み出された参照情報が一致するまで、付加情報の所定の項目に設定された文字列を、複数の参照情報から順次選択された参照情報と比較することが行われる。
【００２７】
マイコン（６）のＲＯＭ（８）には、ｍ個の参照情報に夫々対応するｍ個の差替情報が記憶されている。図３（ｃ）に、差替情報の一例を示す。例えば、１番目の参照情報に対応する１番目の差替情報は、「ＺＸＹ」及び「ＴＱＰＳＲ」の２つの文字列で構成されている。付加情報の所定の項目に設定された文字列と読み出された参照情報が一致する場合、この参照情報に対応する差替情報がＲＯＭ（８）から読み出され、ＲＡＭ（９）に記憶された付加情報の一部の項目に設定された文字列が、この差替情報に置換される（Ｓ６）。付加情報の所定の項目に設定された文字列がどの参照情報とも一致しない場合には、ＲＡＭ（９）に記憶された付加情報は変更されない。
【００２８】
データ再生装置は、図示しないフォントＲＯＭを具えており、付加情報を表示部（１１）に表示する指令を示す信号が、操作部（１０）からマイコン（６）に送られると、マイコン（６）は、付加情報を構成する各文字列の文字コードに対応するフォントデータをフォントＲＯＭから読み出して表示部（１１）に送る。フォントデータを受け取った表示部（１１）は、付加情報の各項目に設定された文字列を表示する（Ｓ７）。なお、付加情報を構成する各文字列の文字コード、又はこれら文字コードに対応するフォントデータは、データ伝送用端子（１２）を通じてデータ再生装置の表示部（１１）よりも大きな表示手段を具える外部装置に送られて、付加情報がこの外部装置で表示されてもよい。
【００２９】
データ再生装置に所望の差替情報を表示させる場合、この差替情報に対応する参照情報が所定の項目に設定された付加情報が記録された記録媒体を、データ再生装置に処理させればよい。図２で示した処理において、付加情報の第１項目に設定された文字列が参照情報と比較されるとすると、差替情報表示用の記録媒体に記録された付加情報の第１項目には、ｍ個の参照情報のうち、所望の差替情報に対応する参照情報と同じ文字列が設定される。例えば、図３（ｃ）に示すｍ個の差替情報のうち、ｊ番目の差替情報をデータ再生装置に表示させる場合、この差替情報に対応するｊ番目の参照情報である文字列「ａｂｃｄｅ」が（図３（ｂ）参照）、図３（ａ）に示すように付加情報の第１項目に設定される。
【００３０】
差替情報表示用の記録媒体に図３（ａ）に示す付加情報が記録され、図３（ｂ）に示す参照情報及び図３（ｃ）に示す差替情報がＲＯＭ（８）に記憶されている場合、図２に示した処理は以下のように行われる。ステップＳ１で、図３（ａ）に示す付加情報が読み出されてＲＡＭ（９）に記憶される。ステップＳ２で、最初の参照情報「ｃｄａｅｂ」がＲＯＭ（８）から読み出されて、ステップＳ３で、付加情報の第１項目に設定された文字列「ｃｄｅａｂ」と比較される。これらは一致しないので、ステップＳ４が行われて次の参照情報「ｂｃａｄｅ」がＲＯＭ（８）から読み出されて、ステップＳ３が再度行われる。この処理は、付加情報の第１項目に設定された文字列と同じ文字列であるｊ番目の参照情報「ａｂｃｄｅ」が読み出されるまで繰り返される。
【００３１】
ｊ番目の参照情報「ａｂｃｄｅ」が読み出されて、ステップＳ３にて付加情報の第１項目に設定された文字列と一致すると判断されると、参照情報の第２項目及び第３項目に設定された文字列は、ｊ番目の参照情報に対応するｊ番目の差替情報に置換される。この差替情報は、図３（ｃ）に示すように、「ＸＹＺ」と「ＰＱＲＳＴ」の２つの文字列で構成されており、ステップＳ６では、図３（ｄ）に示すように、付加情報の第２項目に設定された文字列が「ｆｇｈｉ」から「ＸＹＺ」に、付加情報の第３項目に設定された文字列が「ｊｋｌｍ」から「ＰＱＲＳＴ」に置換される。置換された付加情報は、ステップＳ７にて表示部（１１）に表示される。
【００３２】
本実施例では、付加情報の一部の項目、具体的には第２項目と第３項目に設定された文字列を差替情報に置換しているが、付加情報の全ての項目に設定された文字列が差替情報に置換されてもよい。また、本実施例では、付加情報の第１項目に設定されたと参照情報とを比較しているが、参照情報と比較される付加情報の文字列は、他の項目に設定された文字列であってもよい。さらに、付加情報の所定の複数の項目に夫々対応する文字列で参照情報を構成し、付加情報のこれら項目に設定された文字列が、項目毎に参照情報と一致する場合に、付加情報の置換を行ってもよい。さらに、付加情報の全てが文字列で構成される必要はなく、付加情報の１又は複数の項目が、文字コード以外のビット列であってもよい。さらに、参照情報も文字列とする必要はなく、共に文字コード以外のビット列である付加情報と参照情報とを比較してもよい。
【００３３】
データ再生装置の内部情報を差替情報とすることにより、差替情報表示用記録媒体、すなわち内部情報表示用記録媒体をデータ再生装置に処理させることで、データ再生装置に内部情報を容易に表示させることができる。例えば、マイコン（６）の制御用プログラムのバージョンを示す文字列を、差替情報としてＲＯＭ（８）に記憶しておけば、図２を用いて説明した処理により、この制御用プログラムのバージョンが表示部（１１）に表示される。
【００３４】
差替情報は、ＲＯＭ（８）に記憶された情報に限られない。マイコン（６）が取得したデータ再生装置内部の各種ステータスはＲＡＭ（９）に記憶される。例えば、データ読出部（３）の読出エラーの回数や、データ再生装置の立上げ時に行われる動作チェックの結果等が、ＲＡＭ（９）に記憶される。このような装置の内部状態を示す一時的な内部情報を差替情報として、付加情報の一部と置換して表示してもよい。さらに、差替情報は、このようにＲＡＭ（９）に記憶された情報とＲＯＭ（８）に記憶された情報を組み合わせたものでもよい。例えば、データ読出部（３）の読出エラーの回数をＲＡＭ（９）に記憶し、文字列「エラー回数」をＲＯＭ（８）に記憶しておく。そして、付加情報の一部を、文字列「エラー回数」を示す文字コードに読出エラーの回数を示す数字（例えば、１０とする）の文字コードを付加した文字コードに置換すると、表示部（１１）には「エラー回数１０」と表示される。すなわち、文字コード以外の形態でＲＡＭ（９）に記憶された内部情報を表示させる場合、内部情報の内容を示す文字列をＲＯＭ（８）に記憶しておき、この文字列を文字列に変換された内部情報と組み合わせて表示させることで、分かりやすい形態で装置の内部情報が表示される。
【００３５】
本発明において、差替情報は、データ再生装置の内部情報に限定されることはない。例えば、データ伝送用端子（１２）を介して外部装置の内部情報をデータ再生装置のマイコン（６）のＲＡＭ（９）に記憶して、データ再生装置に接続された外部装置の内部情報を差替情報とすることができる。
【００３６】
図４は、本発明に係るデータ再生装置の第２実施例のブロック図である。本データ再生装置は、記録媒体（１）からデータを読み出して再生する機能に係る再生ユニット（２０）と、情報を表示する機能に係る表示ユニット（３０）が組み合わされて構成されている。再生ユニット（２０）は、データ読出部（２）やデコーダ部（４）の制御を行う第１マイコン（６ａ）を具えている。表示ユニット（３０）は、表示部（１１）の制御を行う第２マイコン（６ｂ）を具えている。第１マイコン（６ａ）及び第２マイコン（６ｂ）は、データバス（４０）を介して接続されており、相互にデータの送受が可能である。
【００３７】
付加情報の置換を行うプログラム、すなわち図２に示したステップＳ１乃至Ｓ６を行うプログラムと、参照情報とは、第１マイコン（６ａ）のＲＯＭ（８ａ）に記憶されている。記録媒体（１）から付加情報が読み出されると、読み出された付加情報は、ＲＡＭ（９ａ）に記憶される。ＣＰＵ（７ａ）は、先に説明したように付加情報の全部又は一部を参照情報と比較する。付加情報の全部又は一部が参照情報と一致する場合、付加情報の全部又は一部が、ＲＯＭ（８ａ）及び／又はＲＡＭ（９ａ）に記憶された差替情報に置換される。差替情報は、再生ユニット（２０）に関する各種内部情報であり、例えば、第１マイコン（６ａ）の制御プログラムのバージョン情報や、第１マイコン（６ａ）が取得した、再生ユニット（２０）が具えるデータ読出部（２）やデコーダ（４）等の各種ステータス情報である。付加情報の全部又は一部が参照情報と一致しない場合、ＲＡＭ（９ａ）に記憶された付加情報は変更されない。
【００３８】
マイコン（６ａ）は、上記処理後、ＲＡＭ（９ａ）に記憶された付加情報を、データバス（４０）を通じて表示ユニット（３０）の第２マイコン（６ｂ）に転送する。第２マイコン（６ｂ）に送られた付加情報は、第２マイコン（６ｂ）が具えるＲＡＭ（９ｂ）に記憶される。第２マイコン（６ｂ）は、操作部（１０）からの指令により付加情報を表示部（１１）に表示する。
【００３９】
データ再生装置の機種は、既存のデータ再生装置の再生ユニット（２０）及び／又は表示ユニット（３０）に種々の変更を加えたものである場合が多い。第２実施例の構成によれば、第１マイコン（６ａ）を複数の機種で共通に使用することで、機種に応じて表示ユニット（３０）の第２マイコン（６ｂ）に特別な変更を加えなくとも、表示ユニット（３０）の表示部（１１）に再生ユニット（２０）の内部情報を表示させることができる。再生ユニット（２０）の内部情報を表示するためには、第２マイコン（６ｂ）は、単に付加情報を記憶して表示部（１１）に表示する処理を行えればよい。
【００４０】
次に、本発明を、ＣＤ−Ｒ及びＭＰ３対応であり、且つＩＤ３タグを読み出して表示する機能を有するＣＤプレーヤに適用した実施例について説明する。以下、本実施例のＣＤプレーヤは図１に示す構成を有するとして説明を行うが、本実施例のＣＤプレーヤは、図２に示す構成を有していてもよい。
【００４１】
ＣＤプレーヤに記憶されている複数の差替情報には、ＣＤプレーヤの内部情報が含まれている。ＣＤプレーヤの内部情報を知るためには、内部情報表示用ＣＤ−Ｒが作成される必要がある。ＣＤ−Ｒは、マイコン（６）のＲＯＭ（８）に記憶された参照情報の内容と、参照情報に対応する差替情報の内容を踏まえて、ＣＤプレーヤの所望の内部情報が表示されるように、内部情報表示用ＣＤ−Ｒを作成する。内部情報表示用ＣＤ−Ｒの作成作業は、例えば、ＣＤ−Ｒドライブ装置を具えたパーソナルコンピュータを用いて行われる。このパーソナルコンピュータは、ＩＤ３タグを設定し、これをＭＰ３フォーマットの音声データに付加してＣＤ−Ｒに記録するソフトウェアを実行する。
【００４２】
本実施例では、ＩＤ３フォーマットのバージョン１．１（ＩＤ３ｖ１．１）を採用している。ＩＤ３ｖ１．１では、音声データの末尾に、この音声データに関する情報を有するＩＤ３タグが付加されてＭＰ３オーディオファイル（以下、「オーディオファイル」と称す）が構成される。図５は、内部情報表示用ＣＤ−Ｒの記録内容の一例を模式的に示した図である。ＣＤ−Ｒには、５つのオーディオファイルが記録されている。１番目のオーディオファイルは、１曲目の音声データ（ＴＲＡＣＫ１）と、この音声データ（ＴＲＡＣＫ１）の末尾に付加されたＩＤ３タグ（ＴＡＧ１）とで構成されている。他の４つのオーディオファイルも同様に構成されている。
【００４３】
図６は、ＩＤ３ｖ１．１で定められたＩＤ３タグの各項目を示す表である。ＩＤ３タグは、１２８バイト固定のデータであり、ＩＤ３タグの有無を識別可能とするために、最初の３バイトは文字列「ＴＡＧ」が必ず設定される。３バイト目から３２バイト目には、楽曲のタイトル名が設定される。３３バイト目から６２バイト目には、楽曲のアーティスト名が、６３バイト目から９２バイト目には、楽曲が収められたアルバム名が設定される。９３バイト目から９６バイト目には、楽曲が発表された年が、９７バイト目から１２４バイト目には、任意のコメントが設定される。１２５バイト目及び１２６バイト目にはトラック番号が設定され、１２７バイト目には、所定のジャンル表に対応して楽曲のジャンルを示す番号が設定される。トラック番号及びジャンル番号は、文字コードではなくバイトデータとして記録される。
【００４４】
本実施例では、ＩＤ３タグの３つの項目に設定された文字列を、具体的にはタイトル名、アーティスト名及びアルバム名に夫々設定された文字列を、参照情報と比較する。参照情報は、これらの３つの項目に夫々対応する３つのキーワードで構成されている。マイコン（６）のＲＯＭ（８）には、例えば、次のような第１参照情報及び第２参照情報が記憶されている。第１参照情報は、タイトル名に対応する第１キーワード「ｓｈｏｗ＿ｍｅ」と、アーティスト名に対応する第２キーワード「ｓｏｆｔｗａｒｅ＿ｖｅｒｓｉｏｎ」と、アルバム名に対応する第３キーワード「ｐａｓｓ１」とで構成されている。第２参照情報は、タイトル名に対応する第１キーワード「ｓｈｏｗ＿ｍｅ」と、アーティスト名に対応する第２キーワード「ｐｌａｙｅｒ＿ｓｔａｔｕｓ」と、アルバム名に対応する第３キーワード「ｐａｓｓ２」とで構成されている。
【００４５】
第１参照情報に対応する差替情報は、ＲＯＭ（８）に記憶されたマイコン（６）の制御ソフトウェアのバージョンであり、第２参照情報に対応する差替情報は、データ読出部（２）の動作状態等である。これら内部情報を表示するために、内部情報表示用ＣＤ−Ｒには、タイトル名、アーティスト名及びアーティスト名に、第１参照情報を構成する３つのキーワードが夫々設定されたＩＤ３タグと、これら項目に第２参照情報を構成する３つのキーワードが夫々設定されたＩＤ３タグとが記録される。
【００４６】
図７は、図５に示す記録内容を有する内部情報表示用ＣＤ−Ｒに記録されたＩＤ３タグの一例を示す表である。本表において、タイトル名、アーティスト名及びアーティスト名以外の項目に設定された内容は、以下の説明に不要であるので省略してある。２曲目の音声データ（ＴＲＡＣＫ２）に付加されたＩＤ３タグ（ＴＡＧ２）では、タイトル名、アーティスト名及びアーティスト名に設定された各文字列は、この文字列が属する項目に対応する第１参照情報のキーワードと同じにされている。例えば、ＩＤ３タグ（ＴＡＧ２）のタイトル名には文字列「ｓｈｏｗ＿ｍｅ」が設定されているが、この文字列は、タイトル名に対応する第１参照情報の第１キーワードと同じである。さらに、３曲目の音声データ（ＴＲＡＣＫ３）に付加されたＩＤ３タグ（ＴＡＧ３）では、タイトル名、アーティスト名及びアーティスト名に設定された各文字列は、この文字列が属する項目に対応する第２参照情報のキーワードと同じにされている。
【００４７】
図８は、ＣＤ−Ｒに記録された音声データを曲番順に再生するモードにおいて、本実施例のＣＤプレーヤが行う処理を示すフローチャートである。ＣＤプレーヤは、あるオーディオファイルにアクセスすると（Ｓ１１）、このオーディオファイルの末尾から１２８バイト目をサーチしてＩＤ３タグを読み出す。読み出されたＩＤ３タグはマイコン（６）のＲＡＭ（９）に記憶される（Ｓ１２）。次に、マイコン（６）のＣＰＵ（７）は、ＲＯＭ（８）に記憶された最初の参照情報を読み出して（Ｓ１３）、ＲＡＭ（９）から読み出したＩＤ３タグのタイトル名に設定された文字列を、最初の参照情報の第１キーワードと比較して、これらが一致するか否かを判断する（Ｓ１４）。この文字列が第１キーワードと一致しない場合、読み出された参照情報が最後の参照情報であるか否かが判断される（Ｓ１５）。読み出された参照情報が最後の参照情報でない場合は、ＣＰＵ（７）は、ＲＯＭ（８）に記憶された次の参照情報を読み出して（Ｓ１６）、再度ステップＳ１４が行われる。読み出された参照情報が最後の参照情報である場合は、ＩＤ３タグは変更されずに表示部（１１）に表示される（Ｓ１７）。そして、アクセスされたオーディオファイルに含まれる音声データの再生が行われる（Ｓ１８）。
【００４８】
ステップＳ１４にて、ＩＤ３タグのタイトル名に設定された文字列が、最初の参照情報の第１キーワードと一致する場合、ＩＤ３タグのアーティスト名に設定された文字列が参照情報の第２キーワードと比較されて、これらが一致するか否かが判断される（Ｓ１９）。この文字列が第２キーワードが一致しない場合、ステップＳ１５が行われる。これらが一致する場合、ＩＤ３タグのアルバム名に設定された文字列が、参照情報の第３キーワードと比較されて、これらが一致するか否かが判断される（Ｓ２０）。この文字列が第３キーワードが一致しない場合、ステップＳ１５が行われる。
【００４９】
ステップＳ２０にて、ＩＤ３タグのアルバム名に設定された文字列が、参照情報の第３キーワードと一致する場合、すなわち、ＩＤ３タグのタイトル名、アーティスト名及びアルバム名に設定された各文字列が、この文字列の属する項目に対応する参照情報のキーワードと一致する場合、ＩＤ３タグのタイトル名、アーティスト名及びアルバム名に設定された文字列が、この参照情報に対応する差替情報に置換される（Ｓ２１）。置換されたＩＤ３タグは、表示部（１１）に表示される（Ｓ１７）。そして、アクセスされたオーディオファイルに含まれる音声データの再生が行われる（Ｓ１８）。音声データの再生終了後（又は再生中に操作部（１０）のスキップボタンが押された場合）、アクセスされるべき次のオーディオファイルがあるか否かが判断される（Ｓ２２）。次のオーディオファイルがない場合、処理は終了する。次のオーディオファイルがある場合、ＣＤプレーヤは、このオーディオファイルにアクセスする（Ｓ１１）。そして、このオーディオファイルのＩＤ３タグが読み出されて、マイコン（６）のＲＡＭ（９）に記憶される（Ｓ１２）。この後、上述したように、ステップＳ１３以降の処理が行われる。
【００５０】
次に、図８に示すフローチャートに沿って、図５に示す記録内容を有し、図７に示すＩＤ３タグが記録された内部状態表示用ＣＤ−Ｒが処理される模様を説明する。なお、説明上、ＲＯＭ（８）に記録された参照情報は、先に言及した第１参照情報及び第２参照情報のみとする。まず、１番目のオーディオファイルがアクセスされて（Ｓ１１）、１曲目の音声データ（ＴＲＡＣＫ１）に付加されたＩＤ３タグ（ＴＡＧ１）が読み出される（Ｓ１２）。次に、第１参照情報が読み出されて（Ｓ１３）、ＩＤ３タグ（ＴＡＧ１）のタイトル名に設定された文字列が、第１参照情報の第１キーワードと一致するか否かが判断される（Ｓ１４）。ＩＤ３タグ（ＴＡＧ１）のタイトル名に設定された文字列は「Ｓｕｍｍｅｒ  Ｓｅａｓｏｎ」である。この文字列は、第１参照情報の第１キーワードと一致しないので、第１参照情報が最後の参照情報であるか否かが判断される（Ｓ１５）。第１参照情報は最後の参照情報ではないので、第２参照情報が読み出される（Ｓ１６）。
【００５１】
次に、ＩＤ３タグ（ＴＡＧ１）のタイトル名に設定された文字列は、第２参照情報の第１キーワードと比較される（Ｓ１４）。この文字列は、第２参照情報の第１キーワードと一致せず、第２参照情報が最後の参照情報であるので（Ｓ１５）、ＩＤ３タグ（ＴＡＧ１）は変更されることなく表示部（１１）に表示される（Ｓ１７）。表示部（１１）には「Ｓｕｍｍｅｒ  Ｓｅａｓｏｎ  −  ＡＢＣ  Ｂａｎｄ  −  Ｔｈｅ  Ｂｅｓｔ  Ａｌｂｕｍ」と表示される。そして、１曲目の音声データ（ＴＲＡＣＫ１）の再生が行われる（Ｓ１８）。
【００５２】
１曲目の音声データ（ＴＲＡＣＫ１）の再生終了後、２番目のオーディオファイルがアクセスされて（Ｓ２２，Ｓ１１）、２曲目の音声データ（ＴＲＡＣＫ２）に付加されて記録されたＩＤ３タグ（ＴＡＧ２）が読み出される（Ｓ１２）。そして、第１参照情報が読み出されて（Ｓ１３）、ＩＤ３タグ（ＴＡＧ２）のタイトル名に設定された文字列が、第１参照情報の第１キーワードと一致するか否かが判断される（Ｓ１４）。この文字列は「ｓｈｏｗ＿ｍｅ」であり、第１キーワードと一致するので、次に、ＩＤ３タグ（ＴＡＧ２）のアーティスト名に設定された文字列が、第１参照情報の第２キーワードと一致するか否かが判断される（Ｓ１９）。ＩＤ３タグ（ＴＡＧ２）のアーティスト名に設定された文字列は「ｓｏｆｔｗａｒｅ＿ｖｅｒｓｉｏｎ」であり、第２キーワードと一致するので、次に、ＩＤ３タグ（ＴＡＧ２）のアルバム名に設定された文字列が、第１参照情報の第３キーワードと一致するか否かが判断される（Ｓ２０）。
【００５３】
ステップＳ２０において、ＩＤ３タグ（ＴＡＧ２）のアルバム名に設定された文字列「ｐａｓｓ１」は、第１参照情報の第３キーワードと一致するので、ＩＤ３タグ（ＴＡＧ２）のタイトル名、アーティスト名及びアルバム名に設定された文字列は、第１参照情報に対応する差替情報に置換される（Ｓ２１）。第１参照情報に対応して、ＲＯＭ（８）には、マイコン（６）の制御ソフトウェアのバージョンを示す第１文字列「ｓｏｆｔｗａｒｅ  ｖｅｒｓｉｏｎ  ：  Ｘ．ＸＸ」と、この制御ソフトウェアの作成日を示す第２文字列「Ｒｅｌｅａｓｅｄ  ｄａｔｅ  ：  １５／Ｊｕｎ／２００２」と、この制御ソフトウェアの著作権者を示す第３文字列「Ｃｏｐｙｒｉｇｈｔ  ＡＢＣ  Ｃｏ．，  Ｌｔｄ．」とが記憶されている。ＩＤ３タグ（ＴＡＧ２）のタイトル名に設定された文字列は、第１文字列に、アーティスト名に設定された文字列は第２文字列に、アルバム名に設定された文字列は第３文字列に置換される。置換されたＩＤ３タグ（ＴＡＧ２）は、表示部（１１）にて「ｓｏｆｔｗａｒｅ  ｖｅｒｓｉｏｎ  ：  Ｘ．ＸＸ  −  Ｒｅｌｅａｓｅｄ  ｄａｔｅ  ：  １５／Ｊｕｎ／２００２−  Ｃｏｐｙｒｉｇｈｔ  ＡＢＣ  Ｃｏ．，  Ｌｔｄ．」と表示される（Ｓ１７）。そして、２曲目の音声データ（ＴＲＡＣＫ２）の再生が行われる（Ｓ１８）。
【００５４】
２曲目の音声データ（ＴＲＡＣＫ２）が再生されると、３番目のオーディオファイルがアクセスされて（Ｓ２２，Ｓ１１）、ステップＳ１２以降の処理が行われる。３曲目の音声データ（ＴＲＡＣＫ３）に付加されたＩＤ３タグ（ＴＡＧ３）のタイトル名に設定された文字列は、第１参照情報の第１キーワードと一致するが、アーティスト名及びアルバム名に設定された文字列は、夫々第２及び第３キーワードとは異なる。よって、ステップＳ１９の後、ステップＳ１５及びＳ１６が行われて、第２参照情報が読み出される。ＩＤ３タグ（ＴＡＧ３）のタイトル名、アーティスト名及びアルバム名の文字列は、夫々第２参照情報の第１乃至第３キーワードと一致するので、ステップＳ１４及びＳ１９乃至Ｓ２１が行われて、ＩＤ３タグ（ＴＡＧ３）のタイトル名、アーティスト名及びアルバム名の文字列は、第２参照情報に対応する差替情報に置換される。
【００５５】
第２参照情報に対応する差替情報は、ＲＯＭ（８）に記憶された文字列と、ＲＡＭ（９）に記憶されたデータとの組合せである。第２参照情報に対応して、ＲＯＭ（８）には、第１文字列「ＣＤ  ｓｅｒｖｏ  ｓｔａｔｕｓ  ：  」と、第２文字列「ｔｅｓｔ  ｒｅｓｕｌｔ  ：  」と、第３文字列「ｅｒｒｏｒ  ｃｏｕｎｔ  ：  」とが記憶されている。ＲＡＭ（９）には、データ読出部（２）の具えるＣＤドライブのサーボ制御の状態を示すフラグと、ＣＤプレーヤ立上げ時に行われた内部機器の動作チェックの結果を示すフラグと、記録データの読出エラー回数とが、ビット又はバイトデータで記録されている。これらフラグは、「０」の場合は正常を、「１」の場合は異常を示す。
【００５６】
ＣＰＵ（７）は、第１文字列「ＣＤ  ｓｅｒｖｏ  ｓｔａｔｕｓ  ：  」を示す文字コードの末尾に、サーボ制御の状態を示すフラグの値に応じて「ＯＫ」又は「ＮＧ」を示す文字コードを付加して、ＩＤ３タグ（ＴＡＧ３）のタイトル名に設定された文字列を示す文字コードと置換する。また、ＣＰＵ（７）は、第２文字列「ｔｅｓｔ  ｒｅｓｕｌｔ  ：  」を示す文字コードの末尾に、動作チェックの結果を示すフラグの値に応じて「ＯＫ」又は「ＮＧ」を示す文字コードを付加して、ＩＤ３タグ（ＴＡＧ３）のアーティスト名に設定された文字列を示す文字コードと置換する。さらに、ＣＰＵ（７）は、第３文字列「ｅｒｒｏｒ  ｃｏｕｎｔ  ：  」を示す文字コードの末尾に、読出エラー回数の数字を示す文字コードを付加して、ＩＤ３タグ（ＴＡＧ３）のタイトル名に設定された文字列を示す文字コードと置換する。変更されたＩＤ３タグ（ＴＡＧ３）は表示部（１１）に表示される（Ｓ１７）。サーボ制御の状態及び動作チェックの結果が正常であり、読出エラーが生じていない場合には、表示部（１１）には「ＣＤ  ｓｅｒｖｏ  ｓｔａｔｕｓ  ：  ＯＫ  −  ｔｅｓｔ  ｒｅｓｕｌｔ  ：  ＯＫ−  ｅｒｒｏｒ  ｃｏｕｎｔ  ：  ００」と表示される。なお、ＩＤ３タグの一部と置換して表示する内部情報は、マイコン（６）が再起動した以降の総稼動時間や、サーボ制御の自動調整に用いられる調整値等であってもよい。
【００５７】
この後、４番目のオーディオファイルがアクセスされて、ＩＤ３タグ（ＴＡＧ４）が表示部（１１）に表示される。さらには５番目のオーディオファイルがアクセスされててＩＤ３タグ（ＴＡＧ５）が表示部（１１）に表示される。これにて、内部情報表示用ＣＤ−Ｒの処理は終了する。ＩＤ３タグ（ＴＡＧ４）及びＩＤ３タグ（ＴＡＧ５）のタイトル名、アーティスト名及びアーティスト名に設定された文字列は、第１又は第２参照情報の第１乃至第３キーワードと夫々一致しないので、ＩＤ３タグ（ＴＡＧ４）及びＩＤ３タグ（ＴＡＧ５）は、変更されることなく表示部（１１）に表示される。
【００５８】
上記実施例では、ＩＤ３タグのタイトル名、アーティスト名及びアルバム名に設定された文字列を、夫々参照情報の第１乃至第３キーワードと比較しており、これらが一致する場合に、これら文字列を差替情報に置換している。つまり、参照情報のキーワードが設定されたＩＤ３タグの項目を差替情報に置き換えているので、キーワードは表示部（１１）に表示されない。これにより、第３者に対して参照情報をより確実に秘密にしておくことができる。
【００５９】
なお、図８に示す処理において、ステップＳ１９及びＳ２０を省略し、ＩＤ３タグのタイトル名に設定された文字列と参照情報が一致することのみを条件に、ＩＤ３タグの置換を行うことも可能である。この場合、処理は簡単になるものの、一般ユーザに内部情報を秘密にしておくためには、ＩＤ３タグのタイトル名には長い、さらには複雑な文字列を設定する必要がある。本実施例のように、ＩＤ３タグの３つの項目に設定された各文字列が、参照情報の３つのキーワードと夫々一致することを条件にＩＤ３タグの置換を行うことにより、一般ユーザに内部情報をより確実に秘密にできることに加えて、内部情報を表示するために設定するＩＤ３タグの各文字列を短く且つ意味内容が把握しやすい文字列にすることができる。
【００６０】
以上のように、ＭＰ３対応ＣＤプレーヤのＩＤ３タグ表示機能を利用して内部情報を表示させることにより、内部情報を知る必要のある者は、ＩＤ３タグを表示させるための操作部（１０）の操作手順を知っていれば、内部情報表示用ＣＤ−Ｒを再生することでＣＤプレーヤの内部情報を容易に知ることができる。
【００６１】
本発明は、音声データを再生するデータ再生装置に限定されず、映像データを再生するデータ再生装置に適用することも可能である。また、記録データに付加される付加情報及び差替情報は、画像データであっても良い。
【００６２】
上記実施例の説明は、本発明を説明するためのものであって、特許請求の範囲に記載の発明を限定し、或は範囲を減縮する様に解すべきではない。本発明の各部構成は上記実施例に限らず、特許請求の範囲に記載の技術的範囲内で種々の変形が可能であることは勿論である。
【図面の簡単な説明】
【図１】本発明に係るデータ再生装置の第１実施例の概要を示すブロック図である。
【図２】第１実施例のデータ再生装置が行う処理を示したフローチャートである。
【図３】図３（ａ）乃至図３（ｄ）は、夫々、付加情報、参照情報、差替情報、及び置換された付加情報の一例を示す図である。
【図４】本発明に係るデータ再生装置の第２実施例のブロック図である。
【図５】内部情報表示用ＣＤ−Ｒの記録内容を模式的に示した図である。
【図６】ＩＤ３ｖ１．１で定められたＩＤ３タグの各項目を示す表である
【図７】内部情報表示用ＣＤ−ＲのＩＤ３タグの一例を示す表である。
【図８】本実施例のＣＤプレーヤが行う処理を示すフローチャートである。
【符号の説明】
（１）          記録媒体
（２）          データ読出部
（３）          読出制御部
（４）          デコーダ部
（５）          外部出力端子
（６）          マイコン
（７）          ＣＰＵ
（８）          ＲＯＭ
（９）          ＲＡＭ
（１０）        操作部
（１１）        表示部
（１２）    データ伝送用端子
【図１】
2004273076.tif 000003
【図２】
2004273076.tif 000004
【図３】
2004273076.tif 000005
【図４】
2004273076.tif 000006
【図５】
2004273076.tif 000007
【図６】
2004273076.tif 000008
【図７】
2004273076.tif 000009
【図８】
2004273076.tif 000010